(57)【要約】      （修正有）【課題】壁厚の薄い壁パネルであっても、簡単な操作で確実に仮置きのできる配線器具取付具を提供する。【解決手段】間仕切り壁の内部空間内に設置され、壁パネルの開口部に後付けされる配線器具取付具である。器具取付枠２とこの枠体に係着される弾性変形可能な取付枠留具３とを具備している。器具取付枠は側面視亀甲括弧形状に形成した一対の側板４と両側板の上下各端部同士を連結する当接板５とを有している。取付枠留具は器具取付枠における傾斜辺７にその長手方向軸と平行に形成した長溝８を摺動可能な状態で係着してある。【選択図】図１
2011250614.tif 000002
【特許請求の範囲】
【請求項１】
間仕切り壁の内部空間(Ｓ)内に設置され、壁パネル(Ｐ)の開口部に後付けされる配線器具取付具であって、器具取付枠(２)とこの枠体に係着される弾性変形可能な取付枠留具(３)とを具備し、器具取付枠(２)は側面視亀甲括弧形状に形成した一対の側板(４)と両側板(４)の上下各端部同士を連結する当接板(５)とを有しており、取付枠留具(３)は器具取付枠(２)における傾斜辺(７)にその長手方向軸と平行に形成した長溝(８)を摺動可能な状態で係着してあることを特徴とする配線器具取付具。
【請求項２】
弾性変形可能な取付枠留具(３)が亀甲括弧形状をしており、その先端部分に形成した係着突起(12)が器具取付枠(２)の傾斜辺(７)に形成した長溝(８)に嵌合係止してある請求項１に記載した配線器具取付具。
【請求項３】
器具取付枠(２)の当接板(５)にパネルの開口端縁に当接する突片(９)が前方に向けて連出形成してあり、該当接板(５)の対向面部分に配線器具取付用ボス(11)が形成してある請求項１又は２に記載した配線器具取付具。
【発明の詳細な説明】
【技術分野】
【０００１】
本発明は、間仕切り壁パネル等の壁パネルの開口内にスイッチやコンセントなどの配線器具を取付ける配線器具取付具に関するものである。
【背景技術】
【０００２】
この種の配線器具取付具として、背面部と、この背面部の両側端からそれぞれ前方へ連設された一対の相対向する側面部と、壁パネルの開口部周辺裏面に当接する状態に各側面部の前端部に形成した鍔部と、各側面部の前端部から前方へ突起からなる枠状に形成し、この枠状取付体の弾性変形を利用して枠体を壁パネルの開口部から壁パネル裏面側に挿入し、枠状取付体の弾性復元力をを利用して側面部の前端部から前方に形成されている突起を開口端面に圧着することで枠状取付体を壁パネルに係止するものが知られている(特許文献１)。
【０００３】
また従来、平板上に形成した枠体に器具締め付け固定用ネジ孔を形成するととも、枠体の内周縁から止付け爪を立設して、この止付け爪を壁パネルに喰い込ませることで枠体を壁バネルに固定するようにしたものが提案されている(特許文献２)。
【先行技術文献】
【特許文献】
【０００４】
【特許文献１】特開２００４−１１２９３２号公報
【特許文献２】実開昭６３−２４９１８号公報
【発明の概要】
【発明が解決しようとする課題】
【０００５】
枠状取付体の弾性復元力を利用している前記従来のものにあっては、壁パネルに形成した開口の加工精度が低いと、枠状取付体がガタツクという問題があつた。また、枠体の内周縁から止付け爪を立設して、この止付け爪を壁パネルに喰い込ませることで枠体を壁バネルに固定するものでは、壁パネルの肉厚が一定厚み以上必要となることから、ベニア壁等の薄い壁厚の壁パネルには対応することができないうえ、この止付け爪を壁パネルに喰い込ませるものでも壁パネルに形成した開口の加工精度が低いと、止付け爪が壁パネルに十分食い込めないという不都合があった。
【０００６】
本発明は、壁厚の薄い壁パネルであっても、簡単な操作で確実に仮置きのできる配線器具取付具を提供することを目的とする。
【課題を解決するための手段】
【０００７】
上述の目的を達成するために、請求項１に記載の本発明では、間仕切り壁の空間内に設置され、壁パネルの開口部に後付けされる配線器具取付具であって、器具取付枠とこの器具取付枠に係着される弾性変形可能な取付枠留具とを具備し、器具取付枠は側面視亀甲括弧形状に形成した一対の側板部分と両側板部分の上下各端部同士を連結する当接板部分とを有しており、取付枠留具は器具取付枠における傾斜辺部分にその長手方向軸と平行に形成した長溝を摺動可能な状態で係合固定してあることを特徴としている。
【発明の効果】
【０００８】
本発明では、器具取付枠と、この器具取付枠に組付けられた弾性変形可能な取付枠留具とを具備し、器具取付枠の傾斜辺部分に形成した長溝内を取付枠留具の傾斜腕片部分が摺動するように構成してあることから、この配線器具取付具を間仕切り壁の空間内に装着すると、取付枠留具が間仕切り壁の空間を構成している裏板に受け止められることにより、取付枠留具の傾斜腕片部分が本体の傾斜辺部分に形成した長溝内を移動することにより器具取付枠を壁パネル側に弾性押し出しして、器具取付枠の当接板部分が壁パネルの裏面に圧接されることになり、確実に仮置きされることになる。これにより、間仕切り壁内の空間寸法に多少のばらつきがあっても、その寸法誤差を取付枠留具の弾性復元力で吸収して、器具取付枠を壁パネルの裏面に確りと接当保持させるさせることができる。そして、器具取付枠に配線器具をネジ止め固定することで、器具取付枠の当接板部分と配線器具の周縁板状部とで壁パネルを挟持できることになる。
【図面の簡単な説明】
【０００９】
【図１】本発明にかかる配線器具取付具の一実施形態を示す斜視図である。
【図２】図１に示した配線器具取付具の側面図である。
【図３】本発明にかかる配線器具取付具を間仕切り壁に装着した状態の図である。
【発明を実施するための形態】
【００１０】
この配線器具取付具(１)は、硬質塩化ビニル樹脂等の合成樹脂で成形した器具取付枠(２)と、同じく硬質塩化ビニル樹脂等の合成樹脂で成形した取付枠留具(３)とで構成してある。
【００１１】
器具取付枠(２)は一対の側板(４)と両側板(４)の上側端部同士及び下側端部同士を連結する当接板(５)とを有している。各側板(４)は、基礎辺(６)の両端部から外開き傾斜状に連出した傾斜辺(７)とで側面視亀甲括弧形状に形成してある。
【００１２】
器具取付枠(２)の各傾斜辺(７)には、その長手方向軸と平行に形成した長溝(８)がそれぞれ形成してある。また、器具取付枠(２)の当接板(５)には前記側板(４)を延長する状態で突片(９)が一体に形成されるとともに、上下に位置している当接板(５)の対向面部分に、配線器具取付用ネジ孔(10)を形成した配線器具取付用ボス(11)が一体に形成してある。
【００１３】
取付枠留具(３)は、前記器具取付枠(２)の各傾斜辺(７)に形成した長溝(８)と嵌係合して、該長溝(８)内を摺動移動する係着突起(12)を先端部に突設形成した外開き傾斜状の一対の傾斜腕片(13)と、該一対の傾斜腕片(13)の基部同士を一体連結する連結基片(14)とで側面視亀甲括弧形状に形成してある。このため、取付枠留具(３)の傾斜腕片(13)は係着突起(13)の長溝(８)内での移動に伴い連結基片(14)との連結部を揺動支点として係着突起(13)が形成されいてる先端部が開閉揺動することになる。なお、この取付枠留具(３)は、器具取付枠(２)の一対の側板部分(４)に形成されている長溝(８)に、その係着突起(12)が内側から外側(図上前後方向)に向けてそれぞれ係合するようにしてある。
【００１４】
図２に示すように、取付枠留具(３)を、器具取付枠(２)の各傾斜辺(７)に形成した長溝(８)に係着した状態では、器具取付枠(２)の各傾斜辺(７)に形成した長溝(８)の長軸方向と、傾斜腕片(13)の長軸方向は一致するように形成してある。
【００１５】
上述の構成からなる配線器具取付具(１)を間仕切り壁の内部空間(Ｓ)に装着する場合には、図３に示すように、壁パネル(Ｐ)に開設した配線器具取付用開口(Ｏ)から間仕切り壁の内部空間(Ｓ)に挿入し、取付枠留具(３)の基部片(12)を間仕切り壁の内部空間(Ｓ)を構成している裏板(Ｒ)に当接させることで、取付枠留具(３)の傾斜腕片(13)が器具取付枠(２)の長溝(８)内を当接板(５)の配設側に向けて摺動移動するが、この移動に伴い傾斜腕片(13)が開き側に弾性変形する。このため、器具取付枠(２)は取付枠留具(３)の弾性復元力を受けて、壁パネル(Ｐ)側に押し出されることになるから、器具取付枠(２)の当接板(５)が壁パネル(Ｐ)の開口周縁部分に当接し、器具取付枠(２)の当接板(５)から突出している突片(９)が配線器具取付用開口(Ｏ)の上下端面を受け止めることで、配線器具取付具(１)は壁パネル(Ｐ)に安定した姿勢で仮置き保持される。
【００１６】
間仕切り壁の内部空間(Ｓ)に挿入して仮置きされた配線器具取付具(１)にコンセントやスイッチ等の配線器具(15)を固定した取り付け板(16)をあてがい、この取り付け板(16)を貫通させて連結用皿子ネジを位置させ、この連結用皿子ネジを配線器具取付用ボス(11)に形成した配線器具取付用ネジ孔(10)に螺着することで、配線器具取付具(１)の当接板(５)と取り付け板(16)とで壁パネルを確りと挟持する。図３中符号(17)は配線器具(15)の化粧カバーである。
【００１７】
上記の実施形態では、取付枠留具(３)の形状を、連結基片(14)とその連結基片(14)の上下両端部から外開き傾斜状に連出した傾斜腕片(13)とで側面視亀甲括弧形状に形成したものについて説明したが、この取付枠留具(３)の形状は、弧状に湾曲させた形状や＞形状、あるいはＷ形を横に向けた形状であってもよい。
【００１８】
なお、この場合、取付枠留具(３)は、配線器具取付具(１)の間仕切り壁の内部空間(Ｓ)装着操作時に取付枠留具(３)の係着突起(14)が器具取付枠(２)の長溝(８)内を器具取付枠(２)の当接板(５)の形成方向に摺動移動することにより、傾斜腕片(13)が開き側に弾性変形して弾性復元力を蓄積し、配線器具取付具(１)を間仕切り壁の内部空間(Ｓ)に設置した際には、傾斜腕片(13)が弾性復元力で閉じ側に作動することで、器具取付枠(２)を壁パネル側に押出す作用が求められることから、傾斜辺(７)に形成した長溝(８)と係合する取付枠留具(３)の傾斜腕片(13)はその腕長を十分な長さに設定することが必要となる。
【００１９】
本発明にかかる配線器具取付具(１)では、器具取付枠(２)を前面側(固定板配置側)で上下固定板を連結する連結部材がないことから、器具取付枠(２)での側板(４)同士の間隔を配線器具の幅に形成できるようになり、配線器具取付用開口近傍の間柱の有無に拘わりなく使用することができる。また、多数個並列して使用することができ、多数個用の専用品が不必要になる。
【産業上の利用可能性】
【００２０】
本発明は、近年増加しているベニヤ壁などの薄い壁厚の壁パネル時にも適用することがではる。
【符号の説明】
【００２１】
２…器具取付枠、３…取付枠留具、４…側板、５…当接板、７…傾斜辺、８…長溝、９…突片、11…配線器具取付用ボス、12…係着突起、Ｐ…壁パネル、Ｓ…間仕切り壁の内部空間。
【図１】
2011250614.tif 000003
【図２】
2011250614.tif 000004
【図３】
2011250614.tif 000005